(57)【要約】【課題】  接続するホストの接続クラスを把握していなくても、ＵＳＢ接続を確立することが可能な画像記録再生装置を提供する。【解決手段】ケーブル等により、ＵＳＢ接続がされると（Ｓ１０１）、ベンダーユニークな接続クラスにより接続を行う（Ｓ１０２〜Ｓ１０６）。ステートが、Logical Connected３０５ステートに移行し、画像記録再生装置がホストからのＷａｋｅＵＰ信号待ちの状態になった時点で条件判断を行い（Ｓ１０７）、ＷａｋｅＵＰ信号が受信出来れば、そのままLogical Connectedステート３０５処理を行い、接続確立して通信を開始する。ホストよりＷａｋｅＵＰ信号が受信できなければ、画像記録再生装置はＵＳＢバスリセット処理を行い、ホストはＵＳＢバスのリセットを行う（Ｓ１０８）。ＵＳＢバスリセットが終了すると、Powerステート３０１に戻り、標準クラス接続を行い、Configuredステート３０４が終了し（Ｓ１０９〜Ｓ１１２）、ＵＳＢ接続が確立されて通信が開始される（Ｓ１１３）。【選択図】  図１
2005175984.tif 000002
【特許請求の範囲】
【請求項１】
カメラから得られた動画像、静止画像を着脱可能な記録媒体に記録し、再生可能であり、プリンタやコンピュータ等のホストとＵＳＢ接続により通信可能で、複数の接続クラスを有する通信手段を備える画像記録再生装置であって、
接続されたホストが有する接続クラスにより、接続クラスを切り替えることを特徴とする画像記録再生装置。
【請求項２】
請求項１記載の画像記録再生装置において、前記ホストと接続された際、ベンダーユニークな接続クラスで接続する事を特徴とする画像記録再生装置。
【請求項３】
請求項２記載の画像記録再生装置において、前記ベンダーユニークな接続クラスは、ネゴシエーション終了後、ホストよりの起動コマンドにより起動することを特徴とする画像記録再生装置。
【請求項４】
請求項１又は２記載の画像記録再生装置において、前記ベンダーユニークな接続クラスで接続を行えなかった際、接続クラスを切り替えて別の接続クラスで再接続することを特徴とする画像記録再生装置。
【請求項５】
請求項４記載の画像記録再生装置において、ベンダーユニークな接続クラスで、接続が行えなかった際、デバイス側よりバスリセットをすることを特徴とする画像記録再生装置。
【請求項６】
請求項４記載の画像記録再生装置において、前記ベンダーユニークな接続クラスで接続出来なかった際、切り替えるクラスは標準クラスであることを特徴とする画像記録再生装置。
【発明の詳細な説明】
【技術分野】
【０００１】
本発明は、動画像データ及び静止画像データを着脱可能な記録媒体に記録し、再生可能な画像記録再生装置に係り、ＵＳＢ接続により、ホスト（プリンタ、ＰＣ等）との通信ができ、複数のＵＳＢクラス接続に対応した画像記録再生装置に関する。
【背景技術】
【０００２】
ＵＳＢ（Ｕｎｉｖｅｒｓａｌ Ｓｅｒｉａｌ Ｂｕｓ）によって、ホストと通信をする際、デバイス及び、インターフェースの機能を、ＵＳＢとそれらのアプリケーションの接続要件に従ってグループ化する事によりクラス分けを行う。また、指定されたクラスは、一連の機能、及びホストに対する各機能の仕様を定義する。
【０００３】
このクラスの定義により、インターフェースの定義方法、ホストとの相互通信、同一デバイス上の他のインターフェースとの相互通信が決定する。
【０００４】
ＵＳＢは、元々、ホストとして、パーソナルコンピュータを想定していたが、近年、Ｎｏｎ  ＰＣ要求が拡大し、周辺デバイス（プリンタ等）にＵＳＢホスト機能が搭載される様になった。
【０００５】
よって、各ベンダー（各社メーカー）は、ベンダー固有の接続方法によるドライバをホスト、デバイスそれぞれに実装し、ベンダーユニークなクラスを使用して、独自の方法で、接続を行っている。
【０００６】
しかし、この様な接続では、同一ベンダーのホスト、デバイス間での接続しか出来ないという問題が発生し、接続クラスの標準化が活発に行われ、標準クラス接続のホスト機器が市場に出始めている。
【０００７】
よって、デバイス機器側は、以前のベンダーユニークな接続クラス接続しか持たないホスト機器と、標準クラス接続しか持たないホスト機器、双方との接続を可能とするため、ベンダーユニークなクラス接続、標準クラス接続双方の機能を実装している。
【０００８】
ベンダーユニークなクラスを使用し、接続する従来例として、特許文献１等がある。
【特許文献１】特開平２００１−２２２５０３号広報
【発明の開示】
【発明が解決しようとする課題】
【０００９】
しかしながら、パーソナルコンピュータと異なり、プリンタ等、新規ＵＳＢドライバを追加インストールできないホスト機器との接続をする場合、複数のクラス接続を有するデバイスでは、メニュー等のユーザーインターフェースにより、接続クラスを、ユーザー自身が選び、ホスト機器との接続を行わなければならない。
【００１０】
よって、ユーザーは、接続するホスト機器が、どの接続クラスを有する物なのかを把握していなければならず、また、ユーザーインターフェースであるメニュー表示も、“ＰＴＰ”等、一般になじみの無い表示をするためユーザーフレンドリーでない問題がある。
【００１１】
本発明は、以上の点を考慮してなされたものであり、接続するホストの接続クラスを把握していなくても、ＵＳＢ接続を確立することが可能な画像記録再生装置を提供することを目的とする。
【課題を解決するための手段】
【００１２】
上記課題を解決するため、本発明では以下のように構成している。
【００１３】
即ち、本発明の画像記録再生装置は、カメラから得られた動画像、静止画像を、着脱可能な記録媒体に記録して再生する画像記録再生装置であって、プリンタやコンピュータ等のホストとＵＳＢ（Ｕｎｉｖｅｒｓａｌ Ｓｅｒｉａｌ Ｂｕｓ）接続により通信する複数の接続クラスを有する通信手段を備え、接続されたホストが有する接続クラスにより接続クラスを切り替えることを特徴とする。    
【００１４】
また、ホストと接続された際にベンダーユニークな接続クラスで接続する構成としてもよく、ベンダーユニークな接続クラスは、ネゴシエーション終了後ホストよりの起動コマンドにより起動するように構成してもよい。
【００１５】
また、ベンダーユニークな接続クラスで接続を行えなかった際は、接続クラスを切り替えて別の接続クラスで、再接続する構成としてもよい。
【００１６】
また、ベンダーユニークな接続クラスで接続が行えなかった際、デバイス側より、バスリセットをする構成としてもよく、ベンダーユニークな接続クラスで接続できなかった場合、切り替えるクラスは、標準クラスとする構成としてもよい。
【発明の効果】
【００１７】
本発明によれば、ＵＳＢ接続が開始された場合、先にベンダーユニークなクラス接続を開始し、接続が確立されない場合はデバイス側より、バスリセット処理をする事により、デバイス、ホスト間の接続を初期化し、ＵＳＢ接続を標準クラス接続にて再接続し、ＵＳＢ接続の確立を行う事により、接続するホストの接続クラスを把握していなくても、ＵＳＢ接続を確立する事が出来る。
【００１８】
さらに、複数の接続クラスを持つデバイスにおいて、ユーザーインターフェース等で接続クラスを選択する事無しにＵＳＢ接続を確立することが可能となる。
【発明の最良の実施形態】
【００１９】
以下に本発明の実施例について説明する。
【実施例１】
【００２０】
以下に、本発明の第１の実施例を図１〜図６に基づき説明する。
【００２１】
本実施例の図１は状態遷移図、図２はフローチャート、図３はベンダーユニークな接続クラス接続の状態遷移図、図４はベンダーユニークな接続クラス接続の状態遷移を説明する図、図５は、標準接続クラス接続の状態遷移図、図６は標準接続クラス接続の状態遷移を説明する図を示している。
【００２２】
本実施例のベンダーユニークな接続クラス接続を図３、図４を用い以下説明する。
【００２３】
３０１は、Poweredステート、３０２は、Default ステート、３０３は、Address ステート、３０４は、Configuredステート、３０５は、Logical Connectedステート、３０６〜３１０は、各ステートのSuspendedステートを示している。
【００２４】
ケーブル等により、画像記録再生装置がホストを接続されると、Poweredステート３０１へ移行し、画像記録再生装置はホストに対しデバイス通知を行う。
【００２５】
デバイス通知を受け取ったホストは、ＵＳＢバスリセットを発生し、Defaultステート３０２へ移行し、画像記録再生装置は、バスリセット処理を行う。バスリセットが完了すると、ホストはディスクリプターの要求をし、要求を受け取った、画像記録再生装置は、ディスクリプターを送信する。
【００２６】
ディスクリプターを受信したホストは、次に、セットアドレス要求を出力し、Addressステート３０３へ移行する。
【００２７】
画像記録再生装置は、セットアドレス要求を受け取ると、Addressステートへ移行し、アドレスをセットし、その終了を、ホストへ返す。
【００２８】
セットアドレス処理が完了すると、ホストは、ディスクリプターを要求し、画像記録装置はディスクリプターを送信する。
【００２９】
ホストは、ディスクリプターを受信するとセットコンフィグレーション要求を出力し、Configuredステート３０４へ移行する。セットコンフィグレーション要求を受信した画像記録装置は、受信終了をホストへ返す。
【００３０】
ホストは、セットコンフィグレーション終了を受信すると、ＷａｋｅＵＰを出力し、Logical Connectedステート３０５へ移行する。
【００３１】
ＷａｋｅＵＰを受け取った画像記録再生装置は、ＷａｋｅＵＰ処理をし、ＷａｋｅＵＰ終了を、ホストへ返す。上記動作により、ベンダーユニークなクラス接続が確立され通信が開始される。
【００３２】
次に、本実施例の、標準クラス接続について、その通信確立の状態を図５、その説明を図６に示し、以下に説明する。
【００３３】
図５、６に示すように、Configuredステートまでは、全く同じ処理を行い、状態遷移も、同様である。その違いは、Logical Connectedステート３０５が存在せず、Configuredステート３０４の処理終了により、接続が確立され通信が開始される。
【００３４】
次に本発明全体の動作を、状態遷移、フローを図１、図２に基づいて説明する。
【００３５】
ケーブル等により、ＵＳＢ接続がされると（Ｓ１０１）、図２に示すように、ベンダーユニークな接続クラスにより接続を行う（Ｓ１０２〜Ｓ１０６）。
【００３６】
ステートが、Logical Connected３０５ステートに移行し、画像記録再生装置がホストからのＷａｋｅＵＰ信号待ちの状態になった時点で条件判断を行い（Ｓ１０７）、ＷａｋｅＵＰ信号が受信出来れば、そのままLogical Connectedステート３０５処理を行い、接続確立して通信を開始する。
【００３７】
ホストよりＷａｋｅＵＰ信号が受信できなければ、画像記録再生装置はＵＳＢバスリセット処理を行い、ホストはＵＳＢバスのリセットを行う（Ｓ１０８）。ＵＳＢバスリセットが終了すると、Powerステート３０１に戻り、標準クラス接続を行い、Configuredステート３０４が終了し（Ｓ１０９〜Ｓ１１２）、ＵＳＢ接続が確立されて通信が開始される（Ｓ１１３）。
【図面の簡単な説明】
【００３８】
【図１】本発明に係る第１の実施例における状態遷移を示す図である。
【図２】本発明に係る第１の実施例におけるフローチャートである。
【図３】本発明に係るベンダーユニークな接続クラス接続の状態遷移を示す図である。
【図４】図３における動作図である。
【図５】本発明に係る標準クラス接続の状態遷移を示す図である。
【図６】図５における動作図である。
【符号の説明】
【００３９】
３０１          Poweredステート
３０２          Defaultステート
３０３          Addressステート
３０４          Configuredステート
３０５          Logical Connectedステート
３０６〜３１０  Suspendedステート
【図１】
2005175984.tif 000003
【図２】
2005175984.tif 000004
【図３】
2005175984.tif 000005
【図４】
2005175984.tif 000006
【図５】
2005175984.tif 000007
【図６】
2005175984.tif 000008